(57)【要約】【課題】上部に正面側からアクセスする取付点を確保できない場合であってもメーターを取付けることができるようにする。【解決手段】インストルメントパネル５に対して、その正面３が略後方へ向き、その上側面６の少なくとも一部がインストルメントパネル５の上面から上方へ露出するようにメーター本体２が設置されるメーター１の取付構造であって、メーター本体２の正面３の外形線から上方にはみ出ない形状のメーター上側面カバー１５〜１７をメーター本体２とは別体に形成し、メーター上側面カバー１５〜１７でメーター本体２の上部後方に位置するインストルメントパネル５への取付部１８，１９を覆い得るよう構成している。【選択図】        図３
2004182093.tif 000002
【特許請求の範囲】
【請求項１】
インストルメントパネルに対して、その正面が略後方へ向き、その上側面の少なくとも一部がインストルメントパネルの上面から上方へ露出するようにメーター本体が設置されるメーターの取付構造であって、
メーター本体正面の外形線から上方にはみ出ない形状のメーター上側面カバーをメーター本体とは別体に形成し、
前記メーター上側面カバーでメーター本体の上部後方に位置するインストルメントパネルへの取付部を覆い得るよう構成したことを特徴とするメーター取付構造。
【請求項２】
メーター本体の下部に正面側からアクセス可能なインストルメントパネルとの取付部が設けられ、
メーター上側面カバーで覆われる前記取付部は、略上方からアクセス可能に構成されていることを特徴とする請求項１記載のメーター取付構造。
【請求項３】
メーター本体正面の外形形状は、メーター表示部の外形形状に略対応した形状とされていることを特徴とする請求項１または２記載のメーター取付構造。
【発明の詳細な説明】
【０００１】
【発明の属する技術分野】
この発明は、メーター取付構造に関するものである。
【０００２】
【従来の技術】
自動車などの車両には、車室内の前部に各種の計器類を備えたメーターが取付けられている。
【０００３】
このようなメーターは、インストルメントパネルの内部に埋め込まれるようにして設置されることが多い（例えば、特許文献１参照）。
【０００４】
これに対し、近年、インストルメントパネルの上部にメーターの少なくとも一部を露出させて取付けることが検討されている。
【０００５】
なお、メーターは、通常、その上下部をインストルメントパネルにボルトで正面側から固定されている。
【特許文献１】
特開平７−２５７２３０号公報
【０００６】
【発明が解決しようとする課題】
しかしながら、インストルメントパネルの上部にメーターの少なくとも一部を露出させて取付けるようにした場合、メーターの上部に正面側からアクセスする取付点を確保できないため、メーターの取付けが困難になるという問題があった。
【０００７】
そこで、本発明の目的は、上記の問題点を解消し、上部に正面側からアクセスする取付点を確保できない場合であってもメーターを取付けることができるメータ取付構造を提供することにある。
【０００８】
【課題を解決するための手段】
上記課題を解決するために、請求項１に記載された発明では、インストルメントパネルに対して、その正面が略後方へ向き、その上側面の少なくとも一部がインストルメントパネルの上面から上方へ露出するようにメーター本体が設置されるメーターの取付構造であって、メーター本体正面の外形線から上方にはみ出ない形状のメーター上側面カバーをメーター本体とは別体に形成し、前記メーター上側面カバーでメーター本体の上部後方に位置するインストルメントパネルへの取付部を覆い得るよう構成したメーター取付構造を特徴としている。
【０００９】
このように構成された請求項１にかかる発明によれば、メーター本体正面の外形線から上方にはみ出ない形状のメーター上側面カバーをメーター本体とは別体に形成し、メーター上側面カバーでメーター本体の上部後方に位置するインストルメントパネルへの取付部を覆うようにすることにより、インストルメントパネルの上面にメーター本体を上方へ露出させる場合であっても、インストルメントパネルの上面に取付部が出ないようにすることができる。
【００１０】
請求項２に記載された発明では、メーター本体の下部に正面側からアクセス可能なインストルメントパネルとの取付部が設けられ、メーター上側面カバーで覆われる前記取付部は、略上方からアクセス可能に構成されている請求項１記載のメーター取付構造を特徴としている。
【００１１】
このように構成された請求項２にかかる発明によれば、メーター上側面カバーで覆われる取付部を略上方からアクセスさせることにより、正面側からアクセスできない場合であっても、メーター本体を取付けることができる。
【００１２】
請求項３に記載された発明では、メーター本体正面の外形形状は、メーター表示部の外形形状に略対応した形状とされている請求項１または２記載のメーター取付構造を特徴としている。
【００１３】
このように構成された請求項３にかかる発明によれば、メーター本体正面の外形形状をメーター表示部の外形形状に略対応した形状とすることにより、メーター本体の意匠をすっきりした形状に整えることができると共に、メーター上側面カバーでメーター本体の上部後方に位置する取付部を支障なく隠すことができる。
【００１４】
【発明の実施の形態】
以下、本発明を具体化した実施の形態について、図示例と共に説明する。
図１〜図８は、この発明の実施の形態を示すものである。
【００１５】
まず、構成を説明すると、自動車などの車両には、車室内の前部に各種の計器類を備えたメーター１が取付けられる。
【００１６】
この実施の形態では、図１に示すように、メーター１は、メーター本体２の正面３が車両前後方向４の略後方へ向くようにインストルメントパネル５に配設される。そして、メーター本体２は、インストルメントパネル５に対して、その上側面６の少なくとも一部がインストルメントパネル５の上面から上方へ露出するように設置される。
【００１７】
そのために、図２に示すように、インストルメントパネル５にメーター取付座７を凹設形成し、このメーター取付座７にメーター本体２下部の一部（背面８側の部分）を着座して、メーター本体２をインストルメントパネル５にボルト１１，１２で固定するようにする。
【００１８】
この実施の形態のものでは、図３に示すように、メーター本体２の正面３の外形線から上方にはみ出ない形状のメーター上側面カバー１５〜１７をメーター本体２とは別体に形成する。そして、メーター上側面カバー１５〜１７でメーター本体２の上部後方に位置するインストルメントパネル５への取付部１８を覆い得るよう構成する。
【００１９】
そして、図４〜図６に示すように、メーター本体２の下部に正面３側からアクセス可能なインストルメントパネル５との取付部１９を設ける。また、メーター上側面カバー１５〜１７で覆われる取付部１８は、略上方からアクセス可能に構成する。なお、メーター本体２の下部の取付部１９は、ゴム製の覆い２０によって隠されるように構成されている。
【００２０】
メーター本体２の正面３の外形形状は、メーター表示部の外形形状に略対応した形状とする。この実施の形態では、メーター表示部は円形を３つ略横に並べた３連形状を呈している。これに対応して、メーター本体２の正面３の外形形状も３連形状を呈している。
【００２１】
更に、図７、図８に示すように、メーター上側面カバー１５〜１７は、メーター本体２が３連形状を呈していることに対応して、３連の略半円弧形状とされており、且つ、略各円弧ごとに３分割されている。メーター上側面カバー１５〜１７は、それぞれメーター本体２に対して係止可能な係止部２５を有している。係止部２５は、メーター本体２から突設された略車両前後方向４へ延びるピン２６（図５参照）に圧入可能な孔形状をしている。また、メーター上側面カバー１５は、メーター本体２に対して係止可能な係止爪２７を有している（図４参照）。そして、メーター上側面カバー１５〜１７は、それぞれメーター取付座７に形成した取付孔２８に係止可能な爪部２９を有している（図４、図５参照）。係止部２５および係止爪２７と爪部２９とは、車両前後方向４の略反対側に形成されている。また、メーター上側面カバー１５は、メーター上側面カバー１６，１７の側面に対して係止可能な爪部３０を有している。
次に、この実施の形態の作用について説明する。
【００２２】
図２に示すように、インストルメントパネル５に凹設形成されたメーター取付座７にメーター本体２下部の一部（背面８側の部分）を着座して、メーター本体２をインストルメントパネル５にボルト１１，１２で固定する。
【００２３】
この際、メーター本体２下部の取付部１９は正面３側からアクセスする。メーター本体２の下部の取付部１９は、ゴム製の覆い２０をめくってアクセスする。また、メーター本体２上部の取付部１８は、略上方からアクセスする。
【００２４】
そして、図３に示すように、メーター本体２の正面３の外形線から上方にはみ出ない形状に別途形成されたメーター上側面カバー１５〜１７をメーター本体２に取付けて、メーター上側面カバー１５〜１７でメーター本体２の上部後方に位置するインストルメントパネル５への取付部１８を覆う。
【００２５】
この際、両サイドのメーター上側面カバー１６，１７を取付けた後に中央のメーター上側面カバー１５を取付けるようにする。両サイドのメーター上側面カバー１６，１７は、係止部２５をメーター本体２から突設されたピン２６に圧入した後に、爪部２９をメーター取付座７の取付孔２８に係止するようにして取付ける。そして、中央のメーター上側面カバー１５は、係止爪２７をメーター本体２に対して係止させ且つ係止部２５をメーター本体２から突設されたピン２６に圧入した後に、爪部２９をメーター取付座７の取付孔２８に係止し、且つ、爪部３０をメーター上側面カバー１６，１７の側面に対して係止するようにして取付ける。
以上により、インストルメントパネル５に対して、その上側面６の少なくとも一部がインストルメントパネル５の上面から上方へ露出するようにメーター本体２が設置される。
【００２６】
この実施の形態によれば、メーター本体２の正面３の外形線から上方にはみ出ない形状のメーター上側面カバー１５〜１７をメーター本体２とは別体に形成し、メーター上側面カバー１５〜１７でメーター本体２の上部後方に位置するインストルメントパネル５への取付部１８を覆うようにすることにより、インストルメントパネル５の上面にメーター本体２を上方へ露出させる場合であっても、インストルメントパネル５の上面に取付部１８が出ないようにすることができる。
【００２７】
また、メーター上側面カバー１５〜１７で覆われる取付部１８を略上方からアクセスさせることにより、正面３側からアクセスできない場合であっても、メーター本体２を取付けることができる。
【００２８】
更に、メーター本体２の正面３の外形形状をメーター表示部の外形形状に略対応した形状とすることにより、メーター本体２の意匠をすっきりした形状に整えることができると共に、メーター上側面カバー１５〜１７でメーター本体２の上部後方に位置する取付部１８を支障なく隠すことができる。
【００２９】
以上、この発明の実施の形態を図面により詳述してきたが、実施の形態はこの発明の例示にしか過ぎないものであるため、この発明は実施の形態の構成にのみ限定されるものではなく、この発明の要旨を逸脱しない範囲の設計の変更等があってもこの発明に含まれることは勿論である。
【００３０】
【発明の効果】
以上説明してきたように、請求項１の発明によれば、メーター本体正面の外形線から上方にはみ出ない形状のメーター上側面カバーをメーター本体とは別体に形成し、メーター上側面カバーでメーター本体の上部後方に位置するインストルメントパネルへの取付部を覆うようにすることにより、インストルメントパネルの上面にメーター本体を上方へ露出させる場合であっても、インストルメントパネルの上面に取付部が出ないようにすることができる。
【００３１】
請求項２の発明によれば、メーター上側面カバーで覆われる取付部を略上方からアクセスさせることにより、正面側からアクセスできない場合であっても、メーター本体を取付けることができる。
【００３２】
請求項３の発明によれば、メーター本体正面の外形形状をメーター表示部の外形形状に略対応した形状とすることにより、メーター本体の意匠をすっきりした形状に整えることができると共に、メーター上側面カバーでメーター本体の上部後方に位置する取付部を支障なく隠すことができる、という実用上有益な効果を発揮し得る。
【図面の簡単な説明】
【図１】本発明の実施の形態の全体斜視図である。
【図２】図１のメーター取付状態を示す分解斜視図である。
【図３】図１のメーター上側面カバー取付状態を示す分解斜視図である。
【図４】図１のメーター部分の一部異なる部分で破断した側方断面図である。
【図５】メーター取付部分を斜め上方から見た斜視図である。
【図６】メーター取付部分を下方から見た斜視図である。
【図７】メーター上側面カバーの縦断面図である。
【図８】メーター上側面カバーを下側から見た斜視図である。
【符号の説明】
１    メーター
２    メーター本体
３    正面
５    インストルメントパネル
６    上側面
１５  メーター上側面カバー
１６  メーター上側面カバー
１７  メーター上側面カバー
１８  取付部
１９  取付部
【図１】
2004182093.tif 000003
【図２】
2004182093.tif 000004
【図３】
2004182093.tif 000005
【図４】
2004182093.tif 000006
【図５】
2004182093.tif 000007
【図６】
2004182093.tif 000008
【図７】
2004182093.tif 000009
【図８】
2004182093.tif 000010